(57)【要約】【課題】  メダルの払い出しの際の不正行為を防止する。【解決手段】  ４枚の羽根５０ｂを回転軸５０ａと一体に形成した羽根車５０と、この羽根車５０と同様の構成をした羽根車５１とを第１斜面４１に並設する。羽根車５０の羽根５０ｂと、羽根車５１の羽根５１ｂとをモータによって回転させる。羽根車５０の羽根５０ｂと、羽根車５１の羽根５１ｂとは払出し通路４０を閉塞する第１位置から、メダル３０をメダル払出し口へと導く第２位置との間で変位する。メダル払出口から針金などの異物が挿入された場合には、羽根５０ｂ、５１ｂが異物の挿入方向とは反対方向に回転しているので、異物の進入を阻止することができる。【選択図】        図５
2005118301.tif 000002
【特許請求の範囲】
【請求項１】
メダルを払い出す払出し装置と、払い出されたメダルを所定の受け部へと払い出すメダル払出し口との間に払出し通路を備えた遊技機において、
前記払出し通路に羽根車を設け、
前記羽根車は、軸を中心にして回転し、且つ回転することによって、メダルを通過させる払出し通路を閉塞する第１位置から、払出し通路内のメダルを通過させる第２位置へと変位する羽根を備えていることを特徴とする遊技機。
【請求項２】
前記羽根は、前記払出し装置によって所定の勢いをもって払い出されたメダルに押圧されて回転することを特徴とする請求項１記載の遊技機。
【請求項３】
前記羽根を回転させる駆動装置を設けたことを特徴とする請求項１記載の遊技機。
【請求項４】
前記メダルが払い出されてから前記払出し通路内に所定時間存在しているか否か、又は複数枚停留しているか否かの少なくともいずれかを検出するメダル検出手段と、前記メダル検出手段の検出によって、遊技を中止させる遊技中止制御手段とを設けたことを特徴とする請求項１ないし３のいずれか１つに記載の遊技機。
【請求項５】
前記メダルが前記払出し通路内に所定時間存在していることを所定の報知手段によって報知させる報知制御手段を設けたことを特徴とする請求項４記載の遊技機。
【請求項６】
前記回転が阻止されたか否かを検出する回転阻止検出手段と、前記回転阻止検出手段の検出によって、遊技を中止させる遊技中止制御手段とを設けたことを特徴とする請求項１ないし５のいずれか１つに記載の遊技機。
【請求項７】
前記回転が阻止されたことを所定の報知手段によって報知させる報知制御手段を設けたことを特徴とする請求項６記載の遊技機。
【請求項８】
前記羽根の予め定められた方向とは逆方向の回転を阻止する逆回転阻止手段を設けたことを特徴とする請求項１ないし７のいずれか１つに記載の遊技機。
【発明の詳細な説明】
【技術分野】
【０００１】
本発明は、パチンコ店などの遊技場に設置して使用されるスロットマシン等の遊技機に関するものである。
【背景技術】
【０００２】
パチンコ店などの遊技場に設置して使用されるスロットマシンはパチスロ機と称されている。このようなパチスロ機の場合、遊技を行う際に所定枚数のメダルを投入することで遊技を行うことが可能となり、遊技を行って入賞を得た場合には、パチスロ機の内部に設けられたホッパー装置が駆動して、入賞に対する払出し枚数となるメダルが、ホッパー装置の排出口と、スロットマシンの払出口との間に設けられた払出し通路を通って払出口から受け皿に払い出されるようになっている。
【発明の開示】
【発明が解決しようとする課題】
【０００３】
しかしながら、払出し通路には障害物がないため、払出口から針金などの異物を差し込み、その針金をホッパー装置まで進入させることが可能であった。そのため、メダルの払い出しの際に、針金を用いてホッパー装置に所定の操作を行うことでメダルを大量に払い出させるという不正行為が行われてしまうという問題があった。
【０００４】
本発明は上記問題を解決するためになされたものであり、払出口から挿入される針金などの異物の進入を阻止し、ホッパー装置によるメダルの払い出しの際の不正行為を防止することができるようにした遊技機を提供することを目的とする。
【課題を解決するための手段】
【０００５】
上記目的を達成するために、本発明の遊技機は、メダルを払い出す払出し装置と、払い出されたメダルを所定の受け部へと払い出すメダル払出し口との間に払出し通路を備えたものであり、前記払出し通路に羽根車を設け、前記羽根車は、軸を中心にして回転し、且つ回転することによって、メダルを通過させる払出し通路を閉塞する第１位置から、払出し通路内のメダルを通過させる第２位置へと変位する羽根を備えていることを特徴とする。
【０００６】
また、前記羽根は、前記払出し装置によって所定の勢いをもって払い出されたメダルに押圧されて回転することが好ましい。
【０００７】
また、前記羽根を回転させる駆動装置を設けることが好ましい。なお、前記駆動装置は、前記駆動装置は、前記払出し装置の作動に伴って回転駆動させると好適である。
【０００８】
また、前記メダルが払い出されてから前記払出し通路内に所定時間存在しているか否か、又は複数枚停留しているか否かの少なくともいずれかを検出するメダル検出手段と、前記メダル検出手段の検出によって、遊技を中止させる遊技中止制御手段とを設けることが好ましい。なお、複数枚停留しているか否かを検出する場合、メダルが３枚以上停留した場合に検出されることが好ましい。
【０００９】
また、前記メダルが前記払出し通路内に所定時間存在していることを所定の報知手段によって報知させる報知制御手段を設けることが好ましい。
【００１０】
また、前記回転が阻止されたか否かを検出する回転阻止検出手段と、前記回転阻止検出手段の検出によって、遊技を中止させる遊技中止制御手段とを設けることが好ましい。
【００１１】
また、前記回転が阻止されたことを所定の報知手段によって報知させる報知制御手段を設けることが好ましい。
【００１２】
また、  前記羽根の予め定められた方向とは逆方向の回転を阻止する逆回転阻止手段を設けることが好ましい。
【発明の効果】
【００１３】
本発明の遊技機は、払出し通路に羽根車を設け、前記羽根車は、軸を中心にして回転し、且つ回転することによって、メダルを通過させる払出し通路を閉塞する第１位置から、払出し通路内のメダルを通過させる第２位置へと変位する羽根を備えているので、メダル払出し口から針金等の異物を差し込んだ場合、その異物の進入を羽根によって抑止することができ、もし進入され不正にメダルの払出しをさせようとして場合には、払出し通路内においてメダルが羽根と異物によって詰まらされるので、不正行為を防止するという利点がある。
【００１４】
また、前記羽根は、前記払出し装置によって払い出されたメダルに押圧されて回転するので、所定の受け部へと払い出すメダルの払出しと、針金などの異物の挿入の阻止とを簡単な構造で行うことができる。
【００１５】
また、前記羽根を回転させる駆動装置を設けたので、針金などの異物の挿入を阻止することができ、払出し装置を不正に操作してメダルを払い出させる行為を防止することができる。
【００１６】
また、前記メダルが払い出されてから前記払出し通路内に所定時間存在しているか否か、又は複数枚停留しているか否かの少なくともいずれかを検出するメダル検出手段と、前記メダル検出手段の検出によって、遊技を中止させる遊技中止制御手段とを設けたので、前記メダル検出手段によってメダルが検出された場合には、遊技の続行を不能にし、不正行為を行った者に対して利益を与えないようにすることができる。また、メダルの払出しを円滑にすることができる。
【００１７】
また、前記メダルが前記払出し通路内に所定時間存在していることを所定の報知手段によって報知させる報知制御手段を設けたので、遊技場の従業員は、不正行為が行われている遊技機を容易に見つけ出すことができる。
【００１８】
また、前記回転が阻止されたか否かを検出する回転阻止検出手段と、前記回転阻止検出手段の検出によって、遊技を中止させる遊技中止制御手段とを設けたので、針金などの異物が払出し通路に進入した場合には、直ちに遊技を中止させることができ、不正行為を行った者に対して利益を与えないようにすることができる。
【００１９】
また、所定の報知手段によって報知させる報知制御手段を設けたので、遊技場の従業員は、不正行為が行われている遊技機を容易に見つけ出すことができる。
【発明を実施するための最良の形態】
【００２０】
図１に示すように、スロットマシン２は、筐体３の前面に設けられた２枚の前面扉（以下、上部前面扉４及び下部前面扉５とする）を有している。これら前面扉のうち上部前面扉４には表示窓６が設けられ、この表示窓６の奥に第１リール７ａ，第２リール７ｂ，第３リール７ｃが配置される。周知のように、第１〜第３リール７ａ〜７ｃの外周には様々な図柄が一定ピッチで配列され、リールが停止した状態では対応する表示窓６を通して１リール当たり３個の図柄が観察される。これにより、各リールの図柄を１個ずつ組み合わせた直線状の入賞ラインが横３本斜め２本の合計５本設定されている。第１〜第３リール７ａ〜７ｃの側方には液晶表示装置８が設けられ、例えばアニメーション表示を利用した演出を行う。なお、表示窓６の個数は１つに限定する必要はなく、例えば各々のリール毎に表示窓を設けるようにしてもよい。
また、上部前面扉４の上部左右にはそれぞれ、遊技の際の演出用の音声を発生させるスピーカ９が、上部前面扉４の上部の中央にはランプ１０が設けられている。
【００２１】
下部前面扉５の上部には、遊技の開始時に操作される１枚ベットボタン１１、ＭＡＸベットボタン１２、ペイアウトボタン１３などの各種の操作ボタンが設けられる。なお、これらの操作ボタンの機能はいずれも周知であるので、その詳細については省略する。また、これら操作ボタンの下部には、メダルベットが行われた後に操作されるスタートレバー１５や、スタートレバー１５の操作により回転するリールを停止させる第１〜第３ストップボタン１６〜１８等が設けられる。
【００２２】
また、下部前面扉５には、遊技を行う際にメダル３０（図２参照）を投入するためのメダル投入口２０が設けられている。メダル投入口２０の奥にはセレクタ（不図示）が組み込まれ、不適正なメダル３０はメダル払出口２２を介してメダル受け皿２３（受け部）に排出される。また、セレクタは、例えば遊技の途中や各種の操作ボタンが押されたままの状態で投入された等の不適切なタイミングでメダル３０の投入が行われたときに、投入されたメダル３０をメダル受け皿２３に排出する。
【００２３】
表示窓６の下方にはエラー表示窓２４が設けられている。エラー表示窓２４の奥には、エラー表示窓２４を通してエラーコードを表示させるエラーコード表示装置（不図示）が設けられている。このように、機械動作、遊技動作に異常がある場合等には、エラー表示窓２４を通して異常に応じたエラーコードが表示されるようになっている。
【００２４】
メダル３０が４枚以上に投入された場合は、４枚目からのメダル３０は図示しないメダルセンサで検知され、５０枚を限度にスロットマシン２の内部に貯留される。そして貯留されたメダル３０の枚数は、クレジット枚数表示器２５でデジタル表示される。このクレジット機能を用いているときには、前述した１枚ベットボタン１１やＭＡＸベットボタン１２の操作によりメダル３０の投入操作が行われ、そのベット枚数がクレジット枚数から逐次に減算される。また、遊技の結果、入賞が得られたときには配当となるメダル３０もクレジットされ、ペイアウトボタン１３を操作したときにクレジットされているメダル３０がメダル受け皿２３に払い出される。
【００２５】
図２に示すように、筐体３の下部には、ホッパー装置３１（払出し装置）及びオーバーフロー用の貯留箱３２が設けられている。ホッパー装置３１は、このスロットマシン２で遊技を行って入賞を得た場合に作動し、入賞に対するメダル３０をメダル受け皿２３に払い出す。このホッパー装置３１の上部には、払出し用のメダル３０を貯留する貯留タンク３３が設けられている。なお、この貯留タンク３３には、メダル投入口２０から投入されたメダル３０が貯留される。なお、符号３４は、排出口であり、前面扉を閉じると、後述する払出し通路４０の一端に設けられた開口４０ａ（図３及び図５参照）に接続される。オーバーフロー用の貯留箱３２は、ホッパー装置３１の貯留タンク３３に貯留されたメダル３０が所定量を超えたときに、貯留タンク３３から排出されたメダル３０を貯留する。
【００２６】
ホッパー装置３１の排出口３４の前面には、略Ｌ字状の払出し通路４０が設けられている。図３に示すように、この払出し通路４０の一端に、ホッパー装置３１の排出口３４に連通する開口４０ａが、その他端に、メダル払出口２２がそれぞれ設けられている。
【００２７】
払出し通路４０は第１斜面４１と、第２斜面４２とを備えており、この第１斜面４１と第２斜面４２との間に段差４３が設けられている。また、払出し通路４０は、第１斜面４１に対面する上壁４４が、第１斜面４１に対して平行に形成されている。上壁４４には、、後述する羽根車５０の回転軸５０ａ、及び羽根車５１の回転軸５１ａのそれぞれ上端部が挿通される挿通穴４４ａが形成されている。
【００２８】
図４及び図５に示すように、第１斜面４１に連なる側壁４５、４６は互いに平行になるように形成されている。側壁４５には、羽根車５０の回転軸５０ａを軸にして回転している羽根５０ｂを通過可能にする開口４５ａが形成されている。同様に、側壁４６にも開口４６ａが形成されている。第１斜面４１には中心線４７（図５参照）を軸にして対称になるように、円弧状の切り欠き４１ａが２つ形成されている。
【００２９】
図２、図４及び図５に示すように、払出し通路４０には羽根車５０、５１が並設されている。羽根車５０、５１は、第１斜面４１を横に２分する中心線４７を軸にして対称に配置されている。
【００３０】
図４に示すように、羽根車５０は、回転軸５０ａ、羽根５０ｂ、及びフランジ５０ｃとから構成されている。この羽根車５０は樹脂によって成形した成形品であり、回転軸５０ａ、羽根５０ｂ、及びフランジ５０ｃは一体に成形されている。
回転軸５０ａは円柱形状に形成されている。また、回転軸５０ａとフランジ５０ｃとは、回転軸５０ａが円盤状のフランジ５０ｃの中心を貫くように形成されており、フランジ５０ｃの上面から上方へ突出している回転軸５０ｃの側周面には、周方向に沿って等間隔に４枚の板状の羽根５０ｂが形成されている。また、羽根５０ｂは回転軸５０ａの側周面からフランジ５０ｃの縁にかけて形成されており、羽根５０ｂとフランジ５０ｃとは一体に形成されている。
【００３１】
回転軸５０ａの一端は、羽根５０ｂの軸方向の高さよりも上方にやや突出しており、払出し通路４０の上壁４４の挿通穴４４ａに挿通される。他端は、第１斜面４１の裏側に設けられている歯車５９の軸受け５９ａ（図６参照）に固着される。フランジ５０ｃは、フランジ５０ｃの上面と第１斜面４１とが同一面になるように切り欠き４１ａに配置される。
【００３２】
羽根５０ｂの軸方向の長さは、第１斜面４１から上壁４４までの距離ｔ（図３参照）よりも僅かに小さく設計されている。また、羽根５０ｂの回転軸５０ａからの長さｈ（図５参照）は、払出し通路４０の幅をｗとすると（図５参照）、払出し通路４０内において羽根車５０の羽根５０ｂと、羽根車５１の羽根５１ｂが干渉せずに回転することができるように、ｗ／２よりも僅かに小さく設計されている。また、ホッパー装置３１から排出されたメダル３０が平面視扇状の空間を形成する羽根車５０の羽根５０ｂと、羽根車５１の羽根５１ｂとの間に挟まらないようにするために、長さｈは、メダル３０の直径をφ（図４参照）とすると、ｈ＜（√２／２）×φの関係式を満たすように設計されている。
羽根車５１については羽根車５０と同様の構成をしているので説明を省略する。なお、図中の符号５１ａ、５１ｂ、５１ｃは、順に、回動軸、羽根、フランジを示す。
【００３３】
図６に示すように、第１斜面４１の裏側には、歯車ユニット５５、モータ５６、ロータリ・エンコーダ５７、及び回動片５８が設けられている。歯車ユニット５５は、歯車５９〜６２で構成され、歯車５９は歯車６１、６２を介して歯車６０に連結されている。羽根車５０の回転軸５０ａは、歯車５９の軸受け５９ａに連結されている。同様に、羽根車５１の回転軸５１ａは、歯車６０の軸受け６０ａに連結されている。歯車６２の軸受け６２ａにはモータ５６の駆動軸（不図示）が連結され、この駆動軸を介してモータ５６の駆動力が歯車６２に伝達される。さらに、歯車６１、及び歯車５９を介して羽根車５０の回転軸５０ａに伝達され、また、歯車６０を介して羽根車５１の回転軸５１ａに伝達される。これにより、羽根車５０の羽根５０ｂと、羽根車５１の羽根５１ｂとは同期して回転する。
【００３４】
光学式の回転角センサであるロータリ・エンコーダ５７は歯車６１に隣接するように設けられている。このロータリ・エンコーダ５７は、スロットマシン２全体の制御を司っているＣＰＵ（不図示）を有する制御回路６３に接続されている。また、制御回路６３は、報知器６４として機能するスピーカ９、ランプ１０及びエラーコード表示装置に接続されている。
【００３５】
ロータリ・エンコーダ５７は歯車６１の回転角を検出するためのものである。歯車６１には周方向に沿って等間隔に複数のスリット（不図示）が形成されている。ロータリ・エンコーダ５７には図示しない投光部と受光部とが設けられている。投光部から前記スリットを通して光が投光され、この光は受光部で受光される。スリットは等間隔に形成されているので、歯車６１がモータ５６の駆動力を受けて一定の周期で回転している場合には、受光部では一定の時間間隔で光が受光される。受光された光は電気信号として制御回路６３に出力される。この電気信号に基づいて制御回路６３では歯車６１の回転角がロータリ・エンコーダ５７の検出結果として算出される。制御回路６３のＲＯＭ領域には予め、モータ５６によって一定の周期で回転する歯車６１の回転角に関する情報が誤差を含めて記憶されている。
【００３６】
制御回路６３では、前記情報と、ロータリ・エンコーダ５７の検出結果との比較が行われる。前記情報と、ロータリ・エンコーダ５７の検出結果とが異なった場合、つまり、歯車６１が停止したり、あるいはモータ５６の駆動力に反して逆回転した場合、制御回路６３は報知器６４（報知手段）に電気信号を出力し、ランプ１０を点灯させるとともに、スピーカ９から警告音を発生させる。また、筺体３内部に設けられているエラーコード表示装置によって、エラー表示窓２４を通して、異常を報知するエラーコードを表示させる。なお、この場合のランプ１０の点灯には、遊技の演出で用いられるランプの発光色とは異なる発光色が用いられるので、遊技場の従業員は異常が発生したスロットマシン２を容易に見つけ出すことができる。
このように、予め定められた方向（図５及び図６の円弧矢印方向を参照）への回転が阻止されたか否かを検出する回転阻止検出手段は、ロータリ・エンコーダ５７及び制御回路６３によって構成される。また、制御回路６３は、回転が阻止されたことを報知器６４によって報知させる報知制御手段としての機能を有する。
【００３７】
また、歯車６１が停止したり、あるいはモータ５６の駆動力に反して逆回転した場合、遊技中止制御手段としての機能を有する制御回路６３の制御により、ホッパー装置３１の動作が停止されるとともに、メダル３０のベットが不可能となり、遊技が中止される。
【００３８】
なお、本実施形態では、歯車６１についての回転角を測定しているが、歯車５９〜６２のいずれの歯車の回転角を測定しても良く、また、羽根車５０の羽根５０ｂや羽根車５１の羽根５１ｂの回転角を直接測定するようにしても良い。
【００３９】
また、ロータリ・エンコーダ５７の代わりに圧力センサを用いても良い。例えば、メダル払出口２２から針金などの異物７０（図９参照）が差し込まれて、この異物７０によって羽根車５０の羽根５０ｂや、羽根車５１の羽根５１ｂが押圧された場合、羽根５０ｂ、５１ｂや歯車ユニット５５に負荷がかかるので、この負荷を圧力センサで検出すれば良い。このように、羽根車５０の羽根５０ｂや、羽根車５１の羽根５１ｂの回転が妨害されていることを検出するセンサは適宜に決定すれば良い。
【００４０】
歯車６０の側方には回動片５８が設けられている。回動片５８は、係止爪５８ａ、アーム部５８ｂ、及び軸部５８ｃとから構成されている。回動片５８の一端には傾斜部５８ｄを有する係止爪５８ａが形成されている。他端には軸部５８ｃが形成され、筺体３に回動自在に軸着されている。係止爪５８ａと軸部５８ｃとをつなぐアーム部５８ｂには引っ張りコイルバネ６５が設けられている。引っ張りコイルバネ６５の一端はアーム部５８ｂに固着され、他端は筺体３に取り付けられている。回動片５８は引っ張りコイルバネ６５によって図中矢印方向に付勢され、係止爪５８ａが歯溝６０ｂに嵌合される。歯車６０が円弧矢印方向に回転すると、係止爪５８ａの傾斜部５８ｄが歯車６０の歯に摺接し、係止爪５８ａが歯車６０の歯丈分だけ持ち上げられる（図中２点鎖線を参照）。そして係止爪５８ａは歯車６０の回転に伴い、再び歯溝６０ｂに嵌合される。このように、逆回転阻止手段は歯溝６０ｂと係止爪５８ａとから構成される。
【００４１】
図３に示すように、払出し通路４０の上壁４４の上面には、反射型フォトセンサ６６が設けられている。この反射型フォトセンサ６６は、ホッパー装置３１の排出口３４と羽根車５０との間に配置される。上壁４４には反射型フォトセンサ６６の投光部と受光部とが露呈される開口４４ｂが形成されている。反射型フォトセンサ６６は、投光部から開口４４ｂを介して払出し通路４０内に光線を発し、払出し通路４０内に留まっているメダル３０、あるいは第１斜面４１で反射した反射光を受光部で受光する。
【００４２】
図３に示すように、反射型フォトセンサ６６は制御回路６３に接続されている。制御回路６３は、受光部の出力レベルを所定間隔で監視している。投光部から発せられる光線が払出し通路４０内のメダル３０で反射した場合、前記出力レベルは予め設定された所定レベルを上回る。その所定レベルを上回っている時間は、制御回路６３に備えられているタイマー回路（不図示）によってカウントされる。カウントされた時間が予め設定した所定時間を経過した場合、制御回路６３は、払出し通路４０内にメダルが残留していると判定する。このように、、払出し通路４０内においてメダル３０が所定時間存在しているか否かを検出するメダル検出手段は、反射型フォトセンサ６６と制御回路６３とから構成される。
【００４３】
なお、本実施形態では、反射型フォトセンサ６６を使用したが、これに限ることなく、電磁式センサや、超音波式センサなどの非接触型検出器を使用することも可能である。
【００４４】
制御回路６３には報知器６４として機能するスピーカ９、ランプ１０及びエラーコード表示装置が接続されている。払出し通路４０内にメダルが所定時間存在した場合、制御回路６３は報知器６４に電気信号を出力し、ランプ１０を点灯させ、スピーカ９から払出し通路４０内にメダルが所定時間存在していることを報知する警告音を発生させる。また、エラーコード表示装置によって、エラー表示窓２４を通して、払出し通路４０内にメダルが所定時間存在していることを報知するエラーコードを表示させる。なお、この場合のランプ２７の点灯には、遊技の演出で用いられるランプの発光色とは異なる発光色が用いられる。
以上のように、制御回路６３は、払出し通路４０にメダル３０が所定時間存在していることを報知器６４によって報知させる報知制御手段としての機能を有している。
【００４５】
また、反射型フォトセンサ６６と制御回路６３とによって、メダル３０の存在が検出された場合には、遊技中止手段としての機能を有する制御回路６３の制御により、ホッパー装置３１の動作が停止されるとともに、メダル３０のベットが不可能となり、遊技が中止される。
【００４６】
なお、本実施形態では、反射型フォトセンサ６６と制御回路６３とから構成されるメダル検出手段によって、払出し通路４０内にメダル３０が所定時間存在しているか否かを検出したが、メダル３０が払出し通路４０内に複数枚停留しているか否かを検出するようにしても良い。この場合、払出し通路４０内に３枚以上のメダル３０が停留した場合に検出されることが好ましい。
【００４７】
次に、上記のように構成されているスロットマシン２の作用について説明する。払出し通路４０に設けられた羽根車５０の羽根５０ｂ、及び羽根車５１の羽根５１ｂは、モータ５６の駆動力によって回転している。遊技の結果、入賞となり、ホッパー装置３１が作動し、メダル３０の払い出しが行われると、メダル３０は払出し通路４０を移動し、図７に示すように、やがて羽根車５０、５１の位置へ到達する。羽根車５０の羽根５０ｂと、羽根車５１の羽根５１ｂとが払出し通路４０内を閉塞する第１位置にある場合（図７参照）、メダル３０はメダル払出口２２に排出されない。羽根車５０の羽根５０ｂ、及び羽根車５１の羽根５１ｂが共に図中円弧矢印方向に９０度回転し、図８に示すように、羽根５０ｂ、５１ｂがメダル３０をメダル払出口２２へと導き、払出し通路４０内のメダルを通過させる第２位置に変位すると、払出し通路４０内のメダル３０がメダル払出口２２へと排出される。
【００４８】
図９に示すように、メダル払出口２２から払出し通路４０内に針金などの異物７０が挿入された場合、異物７０の挿入方向（図中の直線矢印方向を参照）とは反対方向（針金の挿入を妨げる方向）に羽根車５０の羽根５０ｂと、羽根車５１の羽根５１ｂとが回転しているため、羽根５０ｂ、５１ｂの回転力によって異物７０の挿入が困難になり、これにより異物７０のホッパー装置３１への進入を阻止することができる。
【００４９】
また、異物７０を羽根５０ｂと、羽根５１ｂとの回転に逆らって払出し通路４０内に挿入させた場合、仮に、遊技の結果が入賞となった際には、異物７０が羽根５０ｂと、羽根５１ｂとによって挟まれて、羽根５０ｂ、５１ｂの回転が阻止されるので、ホッパー装置３１から排出されるメダル３０が払出し通路４０内に留まる。メダル３０が払出し通路４０内に所定時間残留すると、反射型フォトセンサ６６と制御回路６３とが払出し通路４０内に残留しているメダル３０を検出する。そして制御回路５８がスロットマシン２の作動を停止して、例えば警報音等をスピーカ９から再生し、ランプ１０を点灯する。
【００５０】
また、異物７０で羽根５０ｂ、５１ｂのうちのいずれかを押圧し、羽根車５０、５１の羽根を逆方向に回転させようとした場合、係止爪５８ａが歯車６０の歯溝６０ｂに食い込むので、羽根車５０、５１の羽根の逆方向への回転を阻止することができる。
【００５１】
また、羽根車５０、５１のうちのいずかの羽根を押圧して、羽根車５０、５１の羽根を逆方向に回転させようとした場合、あるいは、図９のように異物７０を挿入し、羽根車５０、５１の羽根の回転を阻止した場合、ロータリ・エンコーダ５７及び制御回路６３が、羽根車５０、５１の羽根の回転が阻止されていることを検出する。そして制御回路６３がスロットマシン２の作動を停止して、例えば警報音等をスピーカ９から再生し、ランプ１０を点灯する。
【００５２】
以上のように、メダル払出口２２から異物７０を差し込んで、ホッパー装置３１を不正に操作してメダル３０を払い出させる行為を防止することができる。例えば、メダル３０の払出し時に入賞に応じた枚数となるまでホッパー装置３１から排出されるメダル３０をカウントする検知センサ（不図示）を継続的にＯＮ状態にして排出されるメダル３０のカウント数を誤魔化す不正行為の場合、羽根車５０の羽根５０ｂと、羽根車５１の羽根５１ｂとの隙間から異物７０を進入させなければならないが、その際、進入させた異物７０が障害物となって羽根５０ｂ、５１ｂの回転に不都合を生じさせるので、不正行為を防止することができる。
【００５３】
なお、制御回路６３でモータ５６の駆動を制御し、ホッパー装置３１によるメダル３０の払出しが行われない場合には、図７に示すように、羽根車５０の羽根５０ｂと、羽根車５１の羽根５１ｂとを払出し通路４０を閉塞する位置に停止させておき、メダル３０の払出しを行う際に、モータ５６を作動させて羽根５０ｂ、５１ｂを回転させるようにしても良い。
また、メダル３０をローターディスク（不図示）の孔部に１枚毎に収納し、該ディスクを回転させることで排出口３４からメダル３０を排出するホッパー装置３１の場合、メダル３０が該ディスクから排出され羽根車５０、５１に到達するまでの時間を勘案して該ディスクと、羽根５０ｂ、５１ｂとを同期させて回転させることが好ましい。あるいは、羽根車５０、５１を通過させたメダル３０を検知するセンサを設けて、この検知に応じて該ディスクの回転を駆動させるようにしても良い。このように、羽根５０ｂ、５１ｂを回転させるタイミングは、ホッパー装置３１から排出されるメダル３０が羽根車５０、５１を通過することができるように設定すれば良い。
【００５４】
上記実施形態では、逆回転阻止手段を歯溝６０ｂと係止爪５８ａとから構成したが、逆回転阻止手段は、回転軸５０ａ、５１ａを機械的に一方向にのみ回転させるように規制する手段であっても良いし、あるいは、予め定められた方向と逆方向に回転負荷がかかった場合には回転を停止させるように制御する手段であっても良く、適宜に変更可能である。
【００５５】
上記実施形態では、羽根車５０の羽根５０ｂと、羽根車５１の羽根５１ｂとをモータ５６の駆動力を利用して回転させたが、モータ５６を用いずに、ホッパー装置３１から所定の勢いをもって払い出されるメダル３０の押圧によって羽根車５０の羽根５０ｂと、羽根車５１の羽根５１ｂとを回転させても良い。なお、前記所定の勢いとは、羽根車５０の羽根５０ｂと、羽根車５１の羽根５１ｂとを回転させるだけの勢いのことである。
また、メダル３０の押圧によって羽根車５０の羽根５０ｂと、羽根車５１の羽根５１ｂとを回転させる場合についても上記実施形態と同様に、歯車ユニット５５と係止爪５８ａとを備えることが好ましく、これにより羽根５０ｂ、５１ｂの逆回転を阻止することができる。
なお、メダル３０の払出しが終了した後、羽根車５０、５１の羽根が、図９に示すような位置に配置されている場合には、図７に示すように羽根５０ｂ、５１ｂで払出し通路４０を閉塞するように、モータ５６によって羽根車５０、５１を回転させ、羽根５０ｂ、５１ｂを変位させるようにすることが好ましい。このときの羽根５０ｂ、５１ｂの位置は、例えば、上述したロータリ・エンコーダ５７及び制御回路６３によって検出し、この検出結果に基づいて制御回路６３がモータ５６を駆動させるようにすれば良い。このようにしてメダルの払出しが行われない時の異物の挿入を防止することができる。また、ロータリ・エンコーダ５７以外の各種センサを用いても羽根５０ｂ、５１ｂの位置を検出することは可能である。
【００５６】
上記実施形態では、羽根車５０の羽根５０ｂ、及び羽根車５１の羽根５１ｂはそれぞれ４枚構成されているが、これに限ることなく、羽根車５０、５１の羽根の枚数は適宜に変更して良い。この場合、羽根５０ｂの長さｈの値は羽根５０ｂの枚数によって変化するため、羽根５０ｂの枚数に応じたｈの値を算出し、その算出値に基づいて羽根５０ｂの長さｈを決定することが好ましい。
【００５７】
上記実施形態では、羽根車を２個設けたが、これに限ることなく、羽根車の設置数は１個でも良い。この場合、例えば、払出し通路４０の片方の側壁に羽根車を設け、羽根車の羽根の短辺方向の長さを払出し通路４０の幅ｗに相当するように設計する。つまり、払出し通路４０において羽根が回転可能となり、且つ払出し通路４０を閉塞できるように羽根車の羽根を形成すれば良い。
【図面の簡単な説明】
【００５８】
【図１】スロットマシンの外観を示す斜視図である。
【図２】スロットマシンの下部の内部を示す斜視図である。
【図３】誘導経路、及びその周辺の構成を示す側面視断面図である。
【図４】の構成を示す斜視図である。
【図５】誘導経路及び羽根車の構成を示す平面視断面図である。
【図６】第１斜面の裏側に設けられた歯車ユニットとその周辺の構成を示す説明図である。
【図７】羽根が誘導経路内を閉塞する位置にある場合の誘導経路を示す断面図である。
【図８】メダルが誘導経路からメダル払出口に誘導された場合の誘導経路を示す断面図である。
【図９】メダルの払い出し時に異物を進入させた場合の誘導経路を示す断面図である。
【符号の説明】
【００５９】
２    スロットマシン（遊技機）
９    スピーカ
１０    ランプ
２２    メダル払出口
２３    メダル受け皿（受け部）
３０    メダル
３１    ホッパー装置（払出し装置）
３４    排出口
４０    払出し通路
５０、５１    羽根車
５０ａ、５０ｂ    回転軸（軸）
５１ｂ、５１ｂ    羽根
５６    モータ（駆動装置）
５７    ロータリ・エンコーダ
６０ｂ    歯溝
５８ａ    係止爪
６３    制御回路
６４    報知器（報知手段）
６６    反射型フォトセンサ
【図１】
2005118301.tif 000003
【図２】
2005118301.tif 000004
【図３】
2005118301.tif 000005
【図４】
2005118301.tif 000006
【図５】
2005118301.tif 000007
【図６】
2005118301.tif 000008
【図７】
2005118301.tif 000009
【図８】
2005118301.tif 000010
【図９】
2005118301.tif 000011